(57)【特許請求の範囲】
【請求項１】
投入された料金を受け付ける料金受け付け手段と、
被写体を撮影する撮影手段と、
撮影した画像を表示する表示手段と、
表示した画像を編集する編集手段と、
操作を入力する入力手段と、
撮影した画像並びに編集した画像を記憶する記憶手段と、
記憶した画像のうち、前記撮影した画像並びに編集した画像の一部を印刷する第１の印刷手段と、
前記第１の印刷手段により印刷された後、上書き印刷する第２の印刷手段と
を備え、
前記入力手段は、前記第２の印刷手段により前記画像を印刷するか否かを入力可能である
ことを特徴とする画像印刷装置。
【請求項２】
前記第１の印刷手段は、シアン、マゼンタ、イエロー、またはブラックを含む標準色を印刷し、
前記第２の印刷手段は、金色または銀色を含む特殊色を印刷する
ことを特徴とする請求項１に記載の画像印刷装置。
【請求項３】
前記撮影手段により前記被写体が撮影される前、または、前記編集手段により前記画像が編集される前に、前記入力手段により前記第２の印刷手段で前記画像を印刷しないと入力された場合、前記編集手段により前記特殊色が使用されることを禁止するように制御する制御手段を
さらに備えることを特徴とする請求項２に記載の画像印刷装置。
【請求項４】
前記第１の印刷手段により前記画像が印刷される前に、前記入力手段により前記第２の印刷手段で前記画像を印刷しないと入力された場合、前記編集手段により前記特殊色を使用して編集された画像の特殊色を特定の標準色に変換する変換手段
をさらに備えることを特徴とする請求項２に記載の画像印刷装置。
【請求項５】
前記第２の印刷手段で前記画像を印刷する前に、前記第２の印刷手段の異常を検出する異常検出手段と、
前記異常検出手段により前記第２の印刷手段の異常が検出された場合、前記編集手段により前記特殊色を使用して編集された画像の特殊色を特定の標準色に変換する変換手段と
をさらに備えることを特徴とする請求項２に記載の画像印刷装置。
【請求項６】
前記入力手段は、前記画像に前記特殊色を使用した画像がある場合、前記変換手段により前記特殊色を特定の標準色に変換するか否かを入力可能である
ことを特徴とする請求項５に記載の画像印刷装置。
【請求項７】
前記第１の印刷手段は、シアン、マゼンタ、イエロー、およびブラックを含む標準色を印刷し、
前記第２の印刷手段は、ライトシアン、ライトマゼンタ、およびダークイエローのうち、少なくとも１色を含む色を印刷する
ことを特徴とする請求項１に記載の画像印刷装置。
【請求項８】
前記入力手段は、前記撮影手段により前記被写体が撮影される前、前記編集手段により前記画像が編集される前、または、前記第１の印刷手段により前記画像が印刷される前に、前記第２の印刷手段で前記画像を印刷するか否かを入力可能である
ことを特徴とする請求項１乃至７のいずれかに記載の画像印刷装置。
【請求項９】
前記撮影手段により前記被写体が撮影される前に、前記入力手段により前記第２の印刷手段で前記画像を印刷しないと入力された場合、前記画像を印刷する料金を、前記入力手段により前記第２の印刷手段で前記画像印刷すると入力された場合に較べて安く設定する料金設定手段を
さらに備えることを特徴とする請求項１乃至８のいずれかに記載の画像印刷装置。
【請求項１０】
前記撮影手段により前記被写体が撮影される時間を設定する撮影時間設定手段と、
前記編集手段により前記画像が編集される時間を設定する編集時間設定手段と、
前記記憶手段により前記画像が記憶される画像枚数を設定する画像枚数設定手段と、
前記撮影手段により前記被写体が撮影される前、または、前記編集手段により前記画像が編集される前に、前記入力手段により前記第２の印刷手段で前記画像を入力しないと判断された場合、
前記撮影時間設定手段により前記被写体が撮影される時間を、前記入力手段により前記第２の印刷手段で前記画像印刷すると入力された場合に較べて長く設定するか、
前記編集時間設定手段により前記画像が編集される時間を、前記入力手段により前記第２の印刷手段で前記画像印刷すると入力された場合に較べて長く設定するか、
または、前記画像枚数設定手段により前記画像を記憶する画像枚数を、前記入力手段により前記第２の印刷手段で前記画像印刷すると入力された場合に較べて多く設定するかを選択する選択手段と
をさらに備えることを特徴とする請求項１乃至９のいずれかに記載の画像印刷
装置。
【請求項１１】
前記第２の印刷手段で前記画像を印刷する前に、前記第２の印刷手段の異常を検出する異常検出手段を
さらに備え、
前記表示手段は、前記異常検出手段により前記第２の印刷手段の異常が検出された場合、前記第２の印刷手段の異常を表示する
ことを特徴とする請求項１に記載の画像印刷装置。
【請求項１２】
前記画像印刷装置は、前記料金受け付け手段、前記撮影手段、前記表示手段、前記編集手段、前記記憶手段、前記第１の印刷手段、または前記第２の印刷手段に対して設定を行うためのメンテナンスモードを有し、
前記入力手段は、前記メンテナンスモードにおいて、前記第２の印刷手段で前記画像を印刷するか否かを入力する
ことを特徴とする請求項１に記載の画像印刷装置。
【請求項１３】
投入された料金を受け付ける料金受け付け手段と、
被写体を撮影する撮影手段と、
撮影した画像を表示する表示手段と、
表示した画像を編集する編集手段と、
操作を入力する入力手段と、
撮影した画像並びに編集した画像を記憶する記憶手段と、
記憶した画像のうち、前記撮影した画像並びに編集した画像の一部を印刷する第１の印刷手段と、
前記第１の印刷手段により印刷された後、上書き印刷する第２の印刷手段と
を備えた画像印刷装置の画像印刷方法であって、
前記第２の印刷手段により前記画像を印刷するか否かを、前記入力手段により入力する
ことを特徴とする画像印刷方法。
【請求項１４】
投入された料金を受け付ける料金受け付け手段と、
被写体を撮影する撮影手段と、
撮影した画像を表示する表示手段と、
表示した画像を編集する編集手段と、
操作を入力する入力手段と、
撮影した画像並びに編集した画像を記憶する記憶手段と、
記憶した画像のうち、前記撮影した画像並びに編集した画像の一部を印刷する第１の印刷手段と、
前記第１の印刷手段により印刷された後、上書き印刷する第２の印刷手段とを備えた画像印刷装置用のコンピュータに、
前記第２の印刷手段により前記画像を印刷するか否かを、前記入力手段からの入力に基づいて判定させる処理を実行させる
ことを特徴とするプログラム。
【請求項１５】
被写体を撮影する撮影手段と、
撮影する被写体の背後に位置し、背景を提供する背景提供手段と、
撮影した画像を表示する表示手段と、
表示した画像を編集する編集手段と、
操作を入力する手段と、
撮影した画像並びに編集した画像を記憶する記憶手段と、
複数の印字ユニットを有し、記憶した画像であって、撮影した画像並びに編集した画像の一部を印刷する印刷手段と
を備える画像印刷装置において、
前記編集手段により使用される色の種類に基づいて、前記編集手段により編集された画像の画素に、それぞれ印刷属性を付加する印刷属性付加手段と、
前記画素の印刷属性を読み取る印刷属性読み取り手段と、
前記印刷属性読み取り手段により読み取られた前記画素の印刷属性に基づいて、前記画像の色領域の印刷を制御する印刷制御手段と
を備えることを特徴とする画像印刷装置。
【請求項１６】
前記色の種類は、シアン、マゼンタ、イエロー、もしくはブラックを含む標準色、または、金色もしくは銀色を含む特殊色とされる
ことを特徴とする請求項１５に記載の画像印刷装置。
【請求項１７】
前記印刷手段は、前記標準色並びに前記特殊色を印刷し、
前記表示手段は、前記標準色の編集アイテムに加えて前記特殊色の編集アイテムを表示し、
前記編集手段は、前記入力手段により選択された前記編集アイテムに基づいて前記画像を編集する
ことを特徴とする請求項１６に記載の画像印刷装置。
【請求項１８】
前記印刷属性読み取り手段により読み取られた前記画素の印刷属性に基づいて、前記画像の色領域を前記標準色で印刷するか、もしくは前記特殊色で印刷するかを判断する印刷判断手段を
さらに備えることを特徴とする請求項１６または請求項１７に記載の画像印刷装置。
【請求項１９】
前記印刷制御手段は、前記印刷判断手段により前記画像の色領域を前記標準色で印刷すると判断された場合、前記画像の色領域を前記標準色の印刷ユニットでの印刷を制御し、前記印刷判断手段により前記画像の色領域を前記特殊色で印刷すると判断された場合、前記画像の色領域を前記特殊色の印刷ユニットでの印刷を制御する
ことを特徴とする請求項１８に記載の画像印刷装置。
【請求項２０】
前記背景提供手段が提供する背景は、予め設定された複数の背景色を有し、
前記撮影手段により撮影された画像の背景色が特定の背景色であった場合、前記特定の背景色を特定の特殊色に変換する変換手段をさらに備え、
前記印刷属性付加手段は、前記変換手段により前記画像の背景色が前記特殊色に変換された後、前記画像の背景色に印刷属性を付加する
ことを特徴とする請求項１５乃至１８のいずれかに記載の画像印刷装置。
【請求項２１】
前記編集手段により前記画像が編集された後、前記画像の背景色を前記特定の特殊色に変換するか否かを判断する変換判断手段を
さらに備え、
前記変換手段は、前記変換判断手段により前記画像の背景色を前記特定の特殊色に変換すると判断された場合、前記画像の背景色を前記特定の特殊色に変換する
ことを特徴とする請求項２０に記載の画像印刷装置。
【請求項２２】
前記画像の色領域のうちの所定の部分を指定する指定手段をさらに備え、
前記変換手段は、前記指定手段により指定された前記画像の色領域を、前記特殊色に変換する
ことを特徴とする請求項２０または請求項２１に記載の画像印刷装置。
【請求項２３】
被写体を撮影する撮影手段と、
撮影する被写体の背後に位置し、背景を提供する背景提供手段と、
撮影した画像を表示する表示手段と、
表示した画像を編集する編集手段と、
操作を入力するための入力手段と、
複数の印字ユニットを有し、前記撮影した画像並びに編集した画像の一部を印刷する印刷手段と
を備える画像印刷装置の画像印刷方法であって、
前記編集手段により使用される色の種類に基づいて、前記編集手段により編集された画像の画素に、それぞれ印刷属性を付加する印刷属性付加ステップと、
前記画素の印刷属性を読み取る印刷属性読み取りステップと、
前記印刷属性読み取りステップの処理により読み取られた画素の印刷属性に基づいて、前記画像の色領域の印刷を制御する印刷制御ステップと
を含むことを特徴とする画像印刷方法。
【請求項２４】
被写体を撮影する撮影手段と、
撮影する被写体の背後に位置し、背景を提供する背景提供手段と、
撮影した画像を表示する表示手段と、
表示した画像を編集する編集手段と、
操作を入力する入力手段と、
撮影した画像並びに編集した画像を記憶する記憶手段と、
複数の印字ユニットを有し、記憶した画像であって、前記撮影した画像並びに編集した画像の一部を印刷する印刷手段と
を備える画像印刷装置用のコンピュータに、
前記編集手段により使用される色の種類に基づいて、前記編集手段により編集された画像の画素に、それぞれ印刷属性を付加する印刷属性付加ステップと、
前記画素の印刷属性を読み取る印刷属性読み取りステップと、
前記印刷属性読み取りステップの処理により読み取られた画素の印刷属性に基づいて、前記画像の色領域の印刷を制御する印刷制御ステップと
を含む処理を実行させることを特徴とするプログラム。
【発明の詳細な説明】
【０００１】
【発明の属する技術分野】
本発明は、画像印刷装置および画像印刷方法、並びにプログラムに関し、特に、金または銀の特殊色を使用するか否かの選択に基づいて、プレミアムを付加するようにした画像印刷装置および画像印刷方法、並びにプログラムに関する。
【０００２】
【従来の技術】
従来、カメラでユーザを撮影し、これを予め用意されたフレーム画像と合成してシール台紙などに印刷して提供する画像印刷装置（例えば、プリントクラブ（商標））が知られている。
【０００３】
最近では、ユーザが、撮影された画像上に付属のペンで任意の文字や図形などを編集（いわゆる落書き）する編集機能の高機能化（特に落書きコンテンツの充実）に伴い、標準色（シアン、マゼンタ、イエロー、ブラック）だけでなく特殊色（金または銀）の写真シールを印刷できるようになってきた。
【０００４】
このような特殊色の印刷を行う画像印刷装置は、装置内部に２台のプリンタを搭載し、１台のプリンタで標準色の昇華印刷を行い、もう１台のプリンタで金または銀の特殊色の溶融印刷を実施していた。
【０００５】
【発明が解決しようとする課題】
しかしながら、この画像印刷装置において、金または銀の特殊色を使用する写真シールの印刷を行った場合、標準色の印刷のみ行う１台のプリンタの画像印刷装置に比べて、印刷のコストがかかったり、印刷時間が長くなってしまう課題があった。
【０００６】
さらに、金または銀の特殊色を使用する写真シールの印刷を行った場合、プリンタが２台に分かれていることにより、標準色用と特殊色用の編集が分かれていたため、不便であるという課題があった。
【０００７】
本発明は、このような状況に鑑みてなされたものであり、金または銀の特殊色を使用するか否かの選択に基づいて、プレミアムを付加することができるようにするものである。
【０００８】
【課題を解決するための手段】
本発明の第１の画像印刷装置は、入力手段は、第２の印刷手段により画像を印刷するか否かを入力可能であることを特徴とする。
【０００９】
入力手段は、例えば、操作パネルにより構成される。
【００１０】
本発明の第１の画像印刷装置においては、印刷された後、画像を上書き印刷するか否かが入力可能とされる。
【００１１】
以上の構成にすることにより、上書き印刷しない場合、印刷以外において、ユーザにプレミアムを付加した印刷を提供することができる。これにより、ユーザは、好みに合った印刷をすることができる。
【００１２】
第１の印刷手段は、シアン、マゼンタ、イエロー、またはブラックを含む標準色を印刷し、第２の印刷手段は、金色または銀色を含む特殊色を印刷するようにすることができる。
【００１３】
第１の印刷手段は、例えば、標準色（シアン、マゼンタ、イエロー、ブラック）の印刷を行う印刷部により、第２の印刷手段は、例えば、特殊色（金色または銀色）の印刷を行う印刷部により、それぞれ構成される。
【００１４】
この場合、第２の印刷手段は、例えば、金色のリボンシート、銀色のリボンシート、あるいは、金色と銀色が交互に繰り返し配置されているリボンシートを使用して印刷を行う。
【００１５】
撮影手段により被写体が撮影される前、または、編集手段により画像が編集される前に、入力手段により第２の印刷手段で画像を印刷しないと入力された場合、編集手段により、特殊色が使用されることを禁止するように制御する制御手段をさらに備えるようにすることができる。
【００１６】
制御手段は、例えば、ＣＰＵ８１により構成される。
【００１７】
第１の印刷手段により画像が印刷される前に、入力手段により第２の印刷手段で画像を印刷しないと入力された場合、編集手段により特殊色を使用して編集された画像の特殊色を特定の標準色に変換する変換手段をさらに備えるようにすることができる。
【００１８】
変換手段は、例えば、画像処理部により、構成される。
【００１９】
これにより、編集後かつ印刷直前に標準色のみで印刷するようにできるので、ユーザが急に印刷時間を短縮したいと望む場合に効果的な印刷を提供できる。
【００２０】
第２の印刷手段で画像を印刷する前に、第２の印刷手段の異常を検出する異常検出手段と、異常検出手段により第２の印刷手段の異常が検出された場合、編集手段により特殊色を使用して編集された画像があるか否かを検出する画像検出手段と、画像検出手段により特殊色を使用した画像が検出された場合、特殊色を特定の標準色に変換する変換手段とをさらに備えるようにすることができる。
【００２１】
異常検出手段は、例えば、プリンタ制御部により構成される。
【００２２】
画像検出手段は、例えば、ＣＰＵにより、変換手段は、画像処理部により、それぞれ構成される。
【００２３】
これにより、特殊色を印刷するプリンタが異常を検出した場合も、印刷をすることができる。
【００２４】
前記入力手段は、画像に特殊色を使用した画像がある場合、変換手段により特殊色を特定の標準色に変換するか否かを入力可能であるようにすることができる。
【００２５】
これにより、特殊色の印刷を望むユーザは、この画像印刷装置での印刷を中止することができる。
【００２６】
第１の印刷手段は、シアン、マゼンタ、イエロー、およびブラックを含む標準色を印刷し、第２の印刷手段は、ライトシアン、ライトマゼンタ、およびダークイエローのうち、少なくとも１色を印刷するようにすることができる。
【００２７】
第２の印刷手段は、例えば、ライトシアンとライトマゼンタが交互に繰り返し配置されているリボンシート、あるいは、ライトシアン、ライトマゼンタおよびダークイエローが交互に繰り返し配置されているリボンシートを使用して印刷を行う。
【００２８】
入力手段は、撮影手段により被写体が撮影される前、編集手段により画像が編集される前、または、第１の印刷手段により画像が印刷される前に、第２の印刷手段で画像を印刷するか否かを入力可能であるようにすることができる。
【００２９】
ユーザは、撮影前、撮影後かつ画像編集前、あるいは画像編集後かつ印刷前に入力手段を用いて、第２の印刷手段で画像を印刷するか否かを決めることができる。
【００３０】
撮影手段により被写体が撮影される前に、入力手段により第２の印刷手段で画像を印刷しないと入力された場合、画像を印刷する料金を、丹生ｙ録手段により第２の印刷手段で画像を印刷すると入力された場合に較べて安く設定する料金設定手段をさらに備えるようにすることができる。
【００３１】
料金設定手段は、例えば、ＣＰＵにより構成される。
【００３２】
これは、ユーザが安価な印刷をしたい場合、効果的である。
【００３３】
撮影手段により被写体が撮影される時間を設定する撮影時間設定手段と、編集手段により画像が編集される時間を設定する編集時間設定手段と、記憶手段により画像が記憶される画像枚数を設定する画像枚数設定手段と、撮影手段により被写体が撮影される前、または、編集手段により画像が編集される前に、入力手段により第２の印刷手段で画像を印刷しないと入力された場合、撮影時間設定手段により被写体が撮影される時間を、入力手段により第２の印刷手段で画像を印刷すると入力された場合に較べて長く設定するか、編集時間設定手段により画像が編集される時間を、入力手段により第２の印刷手段で画像を印刷すると入力された場合に較べて長く設定するか、または、画像枚数設定手段により画像を記憶する画像枚数を、入力手段により第２の印刷手段で画像を印刷すると入力された場合に較べて多く設定するかを選択する選択手段とをさらに備えるようにすることができる。
【００３４】
撮影時間設定手段は、例えば、ＣＰＵにより、編集時間設定手段は、例えば、ＣＰＵにより、画像枚数設定手段は、例えば、ＣＰＵにより、それぞれ構成される。
【００３５】
選択手段は、例えば、ＣＰＵにより構成される。
【００３６】
これにより、ユーザの好みに合った印刷方法を提供できる。
【００３７】
第２の印刷手段で画像を印刷する前に、第２の印刷手段の異常を検出する異常検出手段をさらに備え、表示手段は、異常検出手段により第２の印刷手段の異常が検出された場合、第２の印刷手段の異常を表示するようにすることができる。
【００３８】
異常検出手段は、例えば、プリンタ制御部により構成される。
【００３９】
表示手段は、第２の印刷手段の異常が検出された場合、例えば、異常検出画面を表示する。これにより、ユーザは、プリンタの異常を知ることができる。
【００４０】
画像印刷装置は、料金受け付け手段、撮影手段、表示手段、編集手段、記憶手段、第１の印刷手段、または第２の印刷手段に対して設定を行うためのメンテナンスモードを有し、入力手段は、メンテナンスモードにおいて、第２の印刷手段で画像を印刷するか否かを入力するようにすることができる。
【００４１】
メンテナンスモードは、例えば、撮影用モニタに表示されるメンテナンス画面により構成される。
【００４２】
本発明の第１の画像印刷方法は、第２の印刷手段により画像を印刷するか否かを、入力手段により入力可能であることを特徴とする。
【００４３】
本発明の第１の画像印刷方法においては、印刷された後、画像を上書き印刷するか否かが入力される。
【００４４】
以上の構成にすることにより、上書き印刷しない場合、印刷以外において、ユーザにプレミアムを付加した印刷を提供することができる。これにより、ユーザは、好みに合った印刷をすることができる。
【００４５】
本発明の第１のプログラムは、第２の印刷手段により画像を印刷するか否かを、入力手段により入力可能である処理をコンピュータに実行させることを特徴とする。
【００４６】
本発明の第１のプログラムは、所定の記録媒体に記録されて、例えば、ドライブにより読み出され、画像印刷装置にインストールされる。記録媒体は、フレキシブルディスクなどよりなる磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ）などよりなる光ディスク、ＭＤ（Ｍｉｎｉ  Ｄｉｓｋ）などよりなる光磁気ディスク、または半導体メモリなどより構成される。
【００４７】
本発明の第１のプログラムにおいては、印刷された後、画像を上書き印刷するか否かが入力される。
【００４８】
以上の構成にすることにより、上書き印刷しない場合、印刷以外において、ユーザにプレミアムを付加した印刷を提供することができる。これにより、ユーザは、好みに合った印刷をすることができる。
【００４９】
本発明の第２の画像印刷装置は、編集手段により使用される色の種類に基づいて、編集手段により編集された画像の画素に、それぞれ印刷属性を付加する印刷属性付加手段と、画素の印刷属性を読み取る印刷属性読み取り手段と、印刷属性読み取り手段により読み取られた画素の印刷属性に基づいて、画像の色領域の印刷を制御する印刷制御手段とを備えることを特徴とする。
【００５０】
印刷属性付加手段は、例えば、画像処理部により、印刷属性読み取り手段は、例えば、プリンタ制御部により、印刷制御手段は、例えば、プリンタ制御部により、それぞれ構成される。
【００５１】
印刷属性は、例えば、画像データの画素データに付加される。
【００５２】
画像の色領域は、例えば、同じ色情報を有する編集データ領域により構成される。
【００５３】
本発明の第２の画像印刷装置においては、使用される色の種類に基づいて編集された画像の画素に、それぞれ印刷属性が付加され、画素の印刷属性が読み取られ、読み取られた画素の印刷属性に基づいて、画像の色領域の印刷が制御される。
【００５４】
以上の構成にすることにより、標準色で表わされた画像データの画素データであっても、印刷属性を付加するだけで、特殊色として印刷することができ、特殊色の編集時の操作性を向上することができる。
【００５５】
色の種類は、シアン、マゼンタ、イエロー、もしくはブラックを含む標準色、または、金色もしくは銀色を含む特殊色とされるようにすることができる。
【００５６】
印刷手段は、標準色並びに特殊色を印刷し、表示手段は、標準色の編集アイテムに加えて特殊色の編集アイテムを表示し、編集手段は、入力手段により選択された編集アイテムに基づいて画像を編集するようにすることができる。
【００５７】
表示手段は、例えば、画像編集画面を表示し、編集アイテムは、入力ツール選択部に表示される。
【００５８】
編集アイテムは、例えば、入力ツールとして、表示され、入力ツールには、例えば、文字や図形を書き込むとき使用される「ペン」や、同一の文字や図形を入力するとき使用される「スタンプ」などがある。そして、「ペン入力モード」が選択されたとき、ペンの太さを選択するウインドウや、ペンの種類（例えば、クレヨンのように、線の一部をかすれたように表示する「クレヨンペン」）、ペンの色（例えば、標準色や金色のような特殊色）を選択するウインドウが表示される。また、「スタンプ入力モード」が選択されたときも同様に、スタンプを選択するウインドウが表示される。
【００５９】
印刷属性読み取り手段により読み取られた画素の印刷属性に基づいて、画像の色領域を標準色で印刷するか、もしくは特殊色で印刷するかを判断する印刷判断手段をさらに備えるようにすることができる。
【００６０】
印刷判断手段は、例えば、プリンタ制御部により構成される。
【００６１】
印刷制御手段は、印刷判断手段により画像の色領域を標準色で印刷すると判断された場合、画像の色領域を標準色の印刷ユニットでの印刷を制御し、印刷判断手段により画像の色領域を特殊色で印刷すると判断された場合、画像の色領域を特殊色の印刷ユニットでの印刷を制御するようにすることができる。
【００６２】
標準色の印刷ユニットは、例えば、印字ヘッドおよびリボン搬送部を有する印刷部により、特殊色の印刷ユニットは、例えば、印字ヘッドおよびリボン搬送部を有する印刷部により、それぞれ構成される。
【００６３】
背景提供手段が提供する背景は、予め設定された複数の背景色を有し、撮影手段により撮影された画像の背景色が特定の背景色であった場合、特定の背景色を特定の特殊色に変換する変換手段をさらに備え、印刷属性付加手段は、変換手段により画像の背景色が特殊色に変換された後、画像の背景色に印刷属性を付加するようにすることができる。
【００６４】
背景提供手段は、例えば、背景パネルあるいはロールカーテンにより、変換手段は、例えば、画像処理部により構成される。
【００６５】
特定の背景色は、例えば、黄色とされ、背景色が黄色である場合、金色の特殊色に変換するというように、あるいは、灰色とされ、背景色が灰色である場合、銀色の特殊色に変換するというように予め設定されている。
【００６６】
編集手段により画像が編集された後、画像の背景色を特定の特殊色に変換するか否かを判断する変換判断手段をさらに備え、変換手段は、変換判断手段により画像の背景色を特定の特殊色に変換すると判断された場合、画像の背景色を特定の特殊色に変換するようにすることができる。
【００６７】
変換判断手段は、例えば、ＣＰＵにより構成される。
【００６８】
画像の色領域のうちの所定の部分を指定する指定手段をさらに備え、変換手段は、指定手段により指定された画像の色領域を、特殊色に変換するようにすることができる。
【００６９】
指定手段は、例えば、タッチペンにより構成される。
【００７０】
画像の色領域は、例えば、同じ色情報を有する編集データ領域により構成される。
【００７１】
指定手段は、例えば、編集時に、画像の色領域が入力ツール「ペン」で編集されている場合、一部の画像の色領域を指定すると同じ色領域があれば、同じ色領域をすべて指定することができる。また、指定手段は、例えば、編集時に、画像の色領域が入力ツール「スタンプ」で編集されている場合、一部の画像の色領域を指定するとその色領域のみ指定することができる。
【００７２】
本発明の第２の画像印刷方法は、編集手段により使用される色の種類に基づいて、編集手段により編集された画像の画素に、それぞれ印刷属性を付加する印刷属性付加ステップと、画素の印刷属性を読み取る印刷属性読み取りステップと、印刷属性読み取りステップの処理により読み取られた画素の印刷属性に基づいて、画像の色領域の印刷を制御する印刷制御ステップとを含むことを特徴とする。
【００７３】
本発明の第２の画像印刷方法においては、使用される色の種類に基づいて編集された画像の画素に、それぞれ印刷属性が付加され、画素の印刷属性が読み取られ、読み取られた画素の印刷属性に基づいて、画像の色領域の印刷が制御される。
【００７４】
以上の構成にすることにより、標準色で表わされた画像データの画素データであっても、印刷属性を付加するだけで、特殊色として印刷することができ、特殊色の編集時の操作性を向上することができる。
【００７５】
本発明の第２のプログラムは、編集手段により使用される色の種類に基づいて、編集手段により編集された画像の画素に、それぞれ印刷属性を付加する印刷属性付加ステップと、画素の印刷属性を読み取る印刷属性読み取りステップと、印刷属性読み取りステップの処理により読み取られた画素の印刷属性に基づいて、画像の色領域の印刷を制御する印刷制御ステップとを含む処理をコンピュータに実行させることを特徴とする。
【００７６】
本発明の第２の画像印刷方法においては、使用される色の種類に基づいて編集された画像の画素に、それぞれ印刷属性が付加され、画素の印刷属性が読み取られ、読み取られた画素の印刷属性に基づいて、画像の色領域の印刷が制御される。
【００７７】
本発明の第２のプログラムは、所定の記録媒体に記録されて、例えば、ドライブにより読み出され、画像印刷装置にインストールされる。記録媒体は、フレキシブルディスクなどよりなる磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ）などよりなる光ディスク、ＭＤ（Ｍｉｎｉ  Ｄｉｓｋ）などよりなる光磁気ディスク、または半導体メモリなどより構成される。
【００７８】
以上の構成にすることにより、標準色で表わされた画像データの画素データであっても、印刷属性を付加するだけで、特殊色として印刷することができ、特殊色の編集時の操作性を向上することができる。
【００８１】
【発明の実施の形態】
図１は、本発明を適用した画像印刷装置１の構成例を示す斜視図である。
【００８２】
画像印刷装置１の筐体１１の面１１−１には、左上方に硬貨投入口１２が設けられており、ユーザは、画像印刷装置１を利用するとき、所定の金額を投入する。また、面１１−１の右上方には、撮影案内用スピーカ１３が設けられている。撮影案内用スピーカ１３は、各種の音声ガイダンスなどを出力し、ユーザに対して、撮影方法（シール作成の進行方法）を案内する。
【００８３】
面１１−１の中央上方にある、所定の角度だけ上方を向いた面１１−２には、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）などよりなる撮影用モニタ１４が設置されている。撮影用モニタ１４は、撮影方法を案内する画面や、後述するように撮影装置３１により撮影された被写体の画像を表示する。
【００８４】
面１１−２の右側には、所定の角度だけ斜め上方を向いた面１１−３Ｒがあり、その面には、操作パネル１５が設置されている。操作パネル１５は、ユーザにより操作される各種の操作ボタンよりなり、例えば、ＣＣＤ（Ｃｈａｒｇｅ  Ｃｏｕｐｌｅｄ  Ｄｅｖｉｃｅ）カメラ３２のズームを調整するときなどに操作される。操作パネル１５には、例えば、撮影用モニタ１４に表示される各種の選択に対して、決定するとき操作される「○ボタン」、決定したものをキャンセルするとき操作される「×ボタン」、撮影用モニタ１４に表示されるカーソルなどを移動するとき操作される「↑（上矢印）ボタン」、「↓（下矢印）ボタン」、「←（左矢印）ボタン」、「→（右矢印）ボタン」などが配置される。
【００８５】
また、面１１−２の左右には、床に対してほぼ垂直な面１１−４Ｒ，１１−４Ｌが設けられており、それぞれの面には、照明装置１６−１Ｒ，１６−１Ｌが配置される。照明装置１６−１Ｒ，１６−１Ｌは、内部に発光体（フラッシュ）を有しており、ユーザから撮影の開始が指示され、ＣＣＤカメラ３２が取り込む画像を静止画像として記憶するとき（キャプチャするとき）、そのタイミングに合わせて、被写体を照射する。
【００８６】
また、筐体１１の上面の面１１−５Ｒ，１１−５Ｌにも、面１１−４Ｒ，１１−４Ｌと同様に照明装置１６−２Ｒ，１６−２Ｌがそれぞれ配置されている。照明装置１６−２Ｒ，１６−２Ｌは、内部に発光体を有しており、照明装置１６−１Ｒ，１６−１Ｌが被写体を照射するタイミングで、発光体を発光させる。照明装置１６−２Ｒ，１６−２Ｌから照射された光（フラッシュ）は、フラッシュ反射板１７で反射され、被写体を照射する。すなわち、フラッシュ反射板１７は、筐体１１の正面にいるユーザを照射する方向に傾斜して取り付けられる。
【００８７】
筐体１１の上方には、撮影装置３１が設置されている。この撮影装置３１の所定の角度だけ斜め下方向を向いた面には、ＣＣＤカメラ３２、および小型のＬＣＤなどよりなる取り込み画像表示部３３が配置されている。ＣＣＤカメラ３２は、ユーザにより撮影されていないとき、ユーザが画像印刷装置１の筐体１１の正面（面１１−１）前方の場所にいるか否かを検出する。また、ＣＣＤカメラ３２は、被写体の画像を取り込み、その画像（動画像）は、取り込み画像表示部３３に表示される。取り込み画像表示部３３がＣＣＤカメラ３２の近傍に設けられているため、ユーザは、取り込み画像表示部３３に表示されている自分の画像を確認しながら、視線をほぼＣＣＤカメラ３２に向けた状態で撮影することができる。
【００８８】
筐体１１の左側面である面１１−６には、ＣＲＴやＬＣＤなどよりなる編集入力用モニタ１８、編集案内用スピーカ１９、タッチペン２０、およびシール取り出し口２１が設けられている。
【００８９】
ＣＣＤカメラ３２で撮影され、編集する画像として選択され、保存された画像は、ユーザが撮影処理を終了した後、編集入力用モニタ１８に表示される。編集入力用モニタ１８には、タッチパネル１００（図４参照）が積層されており、ユーザは、編集入力用モニタ１８に表示されている画像に対して、タッチペン２０を操作することにより、編集対象の画像（以下、適宜、編集対象画像と称する）に任意の文字や図形などを書き込む（入力する）ことができる。
【００９０】
すなわち、ユーザは、筐体１１の正面（面１１−１）前方の場所（以下、適宜撮影空間と称する）で自分自身を撮影したのち、面１１−６の前方の場所（以下、適宜編集空間と称する）へ移動して、撮影した自分自身の画像を編集する。
【００９１】
編集入力用モニタ１８は、編集対象画像とともに、様々な編集ツールの選択ボタンなどを表示する。そして、編集入力用モニタ１８は、タッチペン２０で書き込みがされたとき、その入力に応じて生成した編集済みの画像を表示する。
【００９２】
編集案内用スピーカ１９は、ユーザに対して、編集の入力方法を説明する音声ガイダンスを出力する。
【００９３】
タッチペン２０は、編集入力用モニタ１８に積層されるタッチパネル１００の位置検出方式（例えば、抵抗膜式、超音波式など）に応じて構成され、編集に使用されないとき、図１に示すように面１１−６に設置されている突起部に引っかけられる。
【００９４】
シール取り出し口２１は、所定の数、および大きさの複数のシールからなる、編集済みの画像が印刷されたシール台紙を排出する。
【００９５】
図２は、図１の画像印刷装置１の配置例を示す図である。
【００９６】
筐体１１の正面（面１１−１）と対向する位置には、所定距離だけ離間して背景パネル５１が設置され、その背景パネル５１の両側には、背景パネル５１に直交するように、側面パネル５２−Ｌおよび側面パネル５２−Ｒが設置されている。ユーザは、筐体１１と背景パネル５１の間の空間を撮影空間として、自分自身の画像を撮影する。なお、筐体１１の上面にはカーテンフレーム４１が水平方向に設置されており、カーテンフレーム４１には、撮影空間の内部が外部から見えないように、カーテン４２が取り付けられている。
【００９７】
また、筐体１１の面１１−６には、カーテンフレーム６１−１，６１−２が、その垂直方向に設置されており、その先端には面１１−６と対向してカーテン６２が取り付けられている。すなわち、編集を入力しているユーザ、および編集入力用モニタ１８に表示されている画像が外から見えないようになされている。
【００９８】
図３は、背景パネル５１を正面から見た構成を示す図である。なお、図３においては、説明の便宜上、図２に示したカーテンフレーム４１は省略されている。
【００９９】
背景パネル５１は、例えば、白色のパネルとされる。背景パネル５１の上部には、ＣＣＤカメラ３２に写らないように、ロールカーテン７１が収納されている。ロールカーテン７１は、軸７２を中心に巻かれており、操作ひも７３を一旦引いてから、離すことにより、背景パネル５１を隠すように開かれる。ロールカーテン７１は、ロールカーテン７１が開かれた状態から、再度操作ひも７３を一旦引いてから離されると、軸７２を中心に、収納される（閉じられる）。
【０１００】
軸７２は、側面パネル５２−Ｌおよび５２−Ｒにまたがるように、回転可能な状態で設置されており、操作ひも７３が操作されることにより、その回転が制御される。ロールカーテン７１は、例えば、黄色などのように決められた色のカーテンとされ、この画像印刷装置１において撮影される場合、その色が背景色となった画像データが生成される。ユーザは、操作ひも７３を操作し、好みのロールカーテン７１（背景色）を選択することができる。なお、図３においては、１つしか設置されていないが、ロールカーテン７１に平行になるように複数の色のロールカーテンを設置するようにできる。
【０１０１】
図４は、図１の画像印刷装置１の内部の構成例を示すブロック図である。図１乃至図３において説明した部分については、繰り返しになるので、その説明を省略する。
【０１０２】
ＣＰＵ（Ｃｅｎｔｒａｌ  Ｐｒｏｃｅｓｓｉｎｇ  Ｕｎｉｔ）８１は、ＲＯＭ（Ｒｅａｄ  Ｏｎｌｙ  Ｍｅｍｏｒｙ）８２に記憶されているプログラム、または、プログラム記憶部８４からＲＡＭ（Ｒａｎｄｏｍ  Ａｃｃｅｓｓ  Ｍｅｍｏｒｙ）８３にロードしたプログラムに従って画像印刷装置１の全体の動作をバス９７を介して制御する。ＲＡＭ８３にはまた、ＣＰＵ８１が各種の処理を実行する上において必要なデータなどが適宜記憶される。
【０１０３】
プログラム記憶部８４は、ハードディスクやそのドライブからなり、ＣＰＵ８１が実行する様々なプログラムなどを記憶する。ドライブ８５は、フレキシブルディスクやハードディスクなどの磁気ディスクや、ＣＤ−ＲＯＭ，ＤＶＤなどの光ディスクなどの記録媒体に記憶されているプログラムを読み出し、バス９７を介してプログラム記憶部８４などに供給する。例えば、ドライブ８５からは、被写体の画像と合成する新たなフレーム画像などが供給される。
【０１０４】
撮影装置３１の内部には、上述したＣＣＤカメラ３２および取り込み画像表示部３３の他に、ＣＣＤカメラ制御部８６が配置されている。ＣＣＤカメラ制御部８６は、ユーザが操作パネル１５を操作することにより入力したＣＣＤカメラ３２の調節要求に応じて、ＣＣＤカメラ３２のズーム率、取り込む光量などを制御する。
【０１０５】
キープ画像記憶部８７は、ユーザが撮影し、編集する画像として選択した画像を所定の枚数だけ記憶する。
【０１０６】
硬貨処理部８８は、硬貨投入口２１から投入された硬貨をカウントし、画像の作成代金として予め設定されている所定の金額が投入されたと判定したとき、それをＣＰＵ８１に通知する。
【０１０７】
プリンタ８９は、標準色（シアン，マゼンタ，イエロー，ブラック）の印刷を行う印刷部９１、特殊色（金色または銀色）あるいはライトシアンおよびライトマゼンタなど（６色印刷を行うときの標準色以外の色）の印刷を行う印刷部９４、並びに、それらを制御するプリンタ制御部９０で構成されている。印刷部９１は、印字ヘッド９２およびリボン搬送部９３で構成され、印刷部９４は印字ヘッド９５およびリボン搬送部９６で構成される。リボン搬送部９３およびリボン搬送部９６は、予め設置されたリボンロールを搬送する。プリンタ制御部９０は、シール台紙と画像データを印刷部９１および印刷部９４に提供し、編集済みの画像を印刷させる。印刷部９１および印刷部９４により印刷されたシール台紙は、シール取り出し口２１から排出され、ユーザに提供される。
【０１０８】
音声出力制御部９８は、ＣＰＵ８１からの制御に基づいて撮影案内用スピーカ１３を制御し、撮影方法などを説明する各種の音声ガイダンスや、例えば、静止画像を取り込むときのシャッター音などの効果音を出力する。一方、音声出力制御部１０２は、編集案内用スピーカ１９を制御し、編集方法などを説明する各種の音声ガイダンスや、画像に書き込むときに発生される効果音などを出力する。このように、撮影案内用スピーカ１３と編集案内用スピーカ１９には、必要に応じてそれぞれ異なる音が出力される。
【０１０９】
表示プロセッサ９９は、撮影処理が終了し、ユーザが編集を開始するとき、キープ画像記憶部８７からバス９７を介して転送されてくるキープ画像を内蔵するメモリ９９Ａに記憶する。そして、表示プロセッサ９９は、タッチパネル１００において編集入力がされたとき、編集対象画像上における、その入力位置を検出し、編集対象画像に反映させて編集入力用モニタ１８に表示させる。なお、図４においては、編集入力用モニタ１８とタッチパネル１００は別の位置に示されているが、実際には積層して配置されている。
【０１１０】
画像処理部１０１は、ＣＰＵ８１の制御に基づいて、画像データの色変換処理を行う。すなわち、画像データを印刷する前に、画像データの特殊色部分を特定の標準色に変換したり、あるいは、撮影後または編集後の画像データの背景色または特定の色領域を特殊色に変換したりする。また、色の種類（標準色または特殊色）に基づいて、編集された画像データの画素に印刷属性を付加する。
【０１１１】
次に、図５のフローチャートを参照して、図１の画像印刷装置１の画像印刷処理について説明する。
【０１１２】
ステップＳ１において、ＣＰＵ８１は、プログラム記憶部８４に記憶されている、撮影の進行方法などのデモンストレーション画面（以下、デモ画面と称する）を、撮影用モニタ１４に表示させるとともに、表示プロセッサ９９を制御し、編集入力用モニタ１８に表示させる。
【０１１３】
撮影用モニタ１４にデモ画面が表示されているとき、ＣＣＤカメラ３２は、画像印刷装置１の撮影空間を監視しており、そこにユーザを検知した場合、ステップＳ２において、ＣＰＵ８１は、ＣＣＤカメラ３２からの出力に基づいて、ユーザが検知されたか否かを判定し、ユーザが検知されたと判定するまでデモ画面を表示して待機する。一方、ＣＰＵ８１は、ユーザが検知されたと判定した場合、ステップＳ３に進み、図６に示されるように、印刷モード選択画面を撮影用モニタ１４に表示させる。
【０１１４】
図６は、特殊色印刷をするか否かをユーザに選択させるための印刷モード選択画面である。画面中央には、「金・銀箔の落書きをする？」の指示が表示され、その下部には、「はい」、「いいえ」およびそれを選択するためのカーソルａが表示されている。そこで、ユーザは、操作パネル１５の「←（左矢印）ボタン」あるいは「→（右矢印）ボタン」を用いて、カーソルａを操作し、「○ボタン」を押すことにより、特殊色印刷機能を使用するか否かを選択する。この選択に対して、ステップＳ４において、ＣＰＵ８１は、操作パネル１５からの出力に基づいて、特殊色印刷機能が使用されるか否かを判断する。
【０１１５】
ステップＳ４において、特殊色印刷機能が使用されると判断された場合、ステップＳ５において、ＣＰＵ８１は、特殊色印刷用の印刷代金を撮影用モニタ１４に表示させ、さらに、硬貨処理部８８に、その代金の情報を供給する。
【０１１６】
ステップＳ６において、ＣＰＵ８１は、硬貨処理部８８からの出力に基づいて、所定の代金（特殊色印刷用の印刷代金）が投入されたか否かを判定し、投入されたと判定するまで特殊色印刷用の印刷代金を表示して待機する。一方、ＣＰＵ８１は、代金が投入されたと判定した場合、ステップＳ７に進み、特殊色印刷処理を実行する。図７に基づいて、この画像印刷装置の特殊色印刷処理を説明する。
【０１１７】
ステップＳ３１において、撮影装置３１は、図示せぬフットスイッチより入力されるユーザからの撮影指示に従って、ユーザを撮影し、撮影した画像をキープ画像記憶部８７に記憶させる。
【０１１８】
ステップＳ３２において、ＣＰＵ８１は、ユーザにより操作パネル１５の撮影終了ボタン（図示しない）が押されたか、あるいは、内蔵するクロック（図示しない）で計時動作を行って、予め設定されている所定の時間が経過したかを判断するまで、ステップＳ３１において、撮影処理を繰り返す。ステップＳ３２において、ＣＰＵ８１は、ユーザにより操作パネル１５の撮影終了ボタンが押されたと判断した場合、あるいは、予め設定されている所定の撮影時間が経過したと判断した場合、ステップＳ３３に進む。
【０１１９】
ステップＳ３３において、ＣＰＵ８１は、編集処理の案内画面を撮影用モニタ１４に表示させる。すなわち、撮影用モニタ１４に編集空間への移動を促す案内画面が表示され、これを確認したユーザは、編集空間に移動し、キープ画像の編集処理を実行する。
【０１２０】
ステップＳ３４において、ＣＰＵ８１は、画像編集処理を実行する。すなわち、表示プロセッサ９９を制御し、内蔵するメモリ９９Ａにキープ画像記憶部８７より供給されたキープ画像データを記憶させると共に、編集入力用モニタ１８に出力し、表示させる。タッチパネル１００はタッチペン２０を用いた、ユーザからの編集入力を受け付ける。
【０１２１】
ステップＳ３５において、ＣＰＵ８１は、ユーザによりタッチペン２０が用いられ、編集入力用モニタ１８に表示される編集終了ボタンが押されたか、あるいは、内蔵するクロックで計時動作を行って、予め設定されている所定の編集時間が経過したかを判断するまで、ステップＳ３４において画像編集処理を繰り返す。ステップＳ３５において、ＣＰＵ８１は、ユーザにより編集入力用モニタ１８に表示される編集終了ボタンが押されたと判断した場合、あるいは、内蔵するクロックで計時動作を行って、予め設定されている所定の編集時間が経過したと判断した場合、ステップＳ３６に進む。
【０１２２】
表示プロセッサ９９は、タッチパネル１００から入力された編集操作を基に、編集した画像を作成させ、編集済みの画像データをバス９７を介してプリンタ８９に転送させる。これに対して、ステップＳ３６において、ＣＰＵ８１は、プリンタ８９のプリンタ制御部９０を制御し、画像データの標準色を印刷させる。すなわち、プリンタ制御部９０は、シール台紙を取り出し、印刷部９１に供給し、そのシール台紙に、画像データ内の標準色（シアン，マゼンタ，イエロー，ブラック）で指定されている画像データを印刷部９１の印字ヘッド９２およびリボン制御部７３を制御し、印刷させる。
【０１２３】
ステップＳ３７において、ＣＰＵ８１は、画像データに特殊色で指定されている部分があるか否かを判断し、画像データに特殊色で指定されている部分があると判断した場合、ステップＳ３８において、ＣＰＵ８１は、プリンタ制御部９０を制御し、画像データの特殊色を印刷させる。すなわち、プリンタ制御部９０は、ステップＳ３６において印刷されたシール台紙を、印刷部９４に供給し、そのシール台紙に、画像データ内の特殊色（金色，あるいは銀色）で指示されている画像データを印刷部９４の印字ヘッド９５およびリボン制御部７６を制御し、（上書き）印刷させる。
【０１２４】
ステップＳ３７において、ＣＰＵ８１は、画像データに特殊色で指定されている部分がないと判断した場合、ステップＳ３８の処理をスキップし、図５のステップＳ１２に進む。
【０１２５】
一方、図５のステップＳ４において、特殊色印刷機能が使用されないと判断された場合、ステップＳ８において、ＣＰＵ８１は、標準色のみの（特殊色印刷不要の）印刷用の印刷代金を撮影用モニタ１４に表示させ、硬貨処理部８８に、その代金の情報を供給する。
【０１２６】
ステップＳ９において、ＣＰＵ８１は、硬貨処理部８８からの出力に基づいて、所定の代金（特殊色印刷用の印刷代金）が投入されたか否かを判定し、投入されたと判定するまで特殊色印刷用の印刷代金を表示して待機する。ステップＳ８において、ＣＰＵ８１は、代金が投入されたと判定した場合、ステップＳ１０に進み、ＣＰＵ８１は、特殊色印刷用の機能をすべて使用不可能に設定する。これにより、これ以降の処理において、特殊色用の機能はすべて処理されない。すなわち、特殊色用の機能に関する表示は、画面に表示されない。
【０１２７】
ステップＳ１１において、ＣＰＵ８１は、標準色印刷処理を実行する。図８に基づいて、この画像印刷装置の標準印刷処理を説明する。
【０１２８】
ステップＳ５１乃至ステップＳ５６の処理は、図７のステップＳ３１乃至ステップＳ３６の処理と、基本的に同様の処理を行っており、繰り返しになるので、その説明を省略する。なお、ステップＳ５４における画像編集処理は、図５のステップＳ１０において、特殊色印刷用の機能がすべて使用不可能に設定されたことにより、特殊色用の編集機能が使用不可能である点、および、特殊色用の編集機能に関する画面表示が編集入力用モニタ１８に表示されない点を除いて、図７のステップＳ３４と基本的に同様である。
【０１２９】
ステップＳ５６において、ＣＰＵ８１は、プリンタ制御部９０を制御し、画像データの標準色を印刷させた後、図５のステップＳ１２に進む。
【０１３０】
図５のステップＳ１２において、プリンタ制御部９０は、印刷済みのシール台紙をシール取り出し口２１より排出し、ユーザに提供する。
【０１３１】
以上のように、撮影処理を実行する前に、特殊色印刷をするか否かが選択され、特殊色印刷をしない場合、印刷代金を安くするようにしたので、ユーザの好みに合った使用方法を提供することができる。
【０１３２】
次に、図９のフローチャートに基づいて、画像印刷装置１の画像印刷処理の他の例を説明する。
【０１３３】
ステップＳ７１において、ＣＰＵ８１は、プログラム記憶部８４に記憶されている、撮影の進行方法などのデモ画面を、撮影用モニタ１４に表示させるとともに、表示プロセッサ９９を制御し、編集入力用モニタ１８に表示させる。
【０１３４】
ステップＳ７２において、ＣＰＵ８１は、硬貨処理部８８からの出力に基づいて、所定の代金（特殊色印刷用の印刷代金）が投入されたか否かを判定し、投入されたと判定するまでデモ画面を表示して待機する。一方、ＣＰＵ８１は、代金が投入されたと判定した場合、ステップＳ７３に進み、印刷モード選択画面（図６）を撮影用モニタ１４に表示させる。
【０１３５】
そこで、ユーザは、操作パネル１５を用いて、特殊色印刷機能を使用するか否かを選択する。この選択に対して、ステップＳ７４において、ＣＰＵ８１は、操作パネル１５からの出力に基づいて、特殊色印刷機能が使用されるか否かを判断する。
【０１３６】
ステップＳ７４において、特殊色印刷機能が使用されると判断された場合、ステップＳ７５において、ＣＰＵ８１は、図７を参照して上述した特殊色印刷処理を実行する。
【０１３７】
ステップＳ７４において、特殊色印刷機能が使用されないと判断された場合、ステップＳ７６において、ＣＰＵ８１は、図１０に示されるように、延長時間選択画面を撮影用モニタ１４に表示させる。
【０１３８】
図１０は、特殊色印刷をしないユーザに対して、撮影時間を延長するか、あるいは編集時間を延長するかのどちらかをユーザに選択させるための延長時間選択画面である。画面中央には、「撮影時間と落書き時間のどちらを延長する？」の指示が表示され、その下部には、「撮影時間」、「落書き時間」およびそれを選択するためのカーソルｂが表示されている。そこで、ユーザは、操作パネル１５の「←（左矢印）ボタン」あるいは「→（右矢印）ボタン」を用いて、カーソルｂを操作し、「○ボタン」を押すことにより、撮影時間を延長するか否かを選択する。この選択に対して、ステップＳ７７において、ＣＰＵ８１は、操作パネル１５からの出力に基づいて、撮影時間を延長するか否かを判断する。
【０１３９】
ステップＳ７７において、撮影時間を延長すると判断された場合、ステップＳ７８において、ＣＰＵ８１は、予め設定された撮影時間よりも撮影時間を延長するように設定する。また、ステップＳ７７において、撮影時間を延長しないと判断された場合（編集時間を延長すると判断された場合）、ステップＳ７９において、ＣＰＵ８１は、予め設定された編集時間よりも編集時間を延長するように設定する。
【０１４０】
ステップＳ８０において、ＣＰＵ８１は、特殊色印刷用の機能をすべて使用不可能に設定する。これにより、これ以降の処理において、特殊色用の機能はすべて処理されず、特殊色用の機能に関する表示は、画面に表示されない。
【０１４１】
ステップＳ８１において、ＣＰＵ８１は、図８を参照して上述した標準色印刷処理を実行する。なお、ステップＳ７７において、撮影時間を延長すると判断された場合、図８のステップＳ５２において、ＣＰＵ８１は、ユーザにより操作パネル１５の撮影終了ボタンが押されたか否か、あるいは、内蔵するクロックで計時動作を行って、ステップＳ７８において延長された撮影時間が経過したか否かを判断することになり、ステップＳ７７において、撮影時間を延長しないと判断された場合（編集時間を延長すると判断された場合）、図８のステップＳ５５において、ＣＰＵ８１は、ユーザにより編集入力用モニタ１８の編集終了ボタンが押されたか否か、あるいは、内蔵するクロックで計時動作を行って、ステップＳ７９において延長された編集時間が経過したか否かを判断することになる。
【０１４２】
ステップＳ７５において、特殊色印刷処理が終了された後、あるいは、ステップＳ８１において、標準色印刷処理が終了された後、ステップＳ８２において、プリンタ制御部９０は、印刷済みのシール台紙をシール取り出し口２１より排出し、ユーザに提供する。
【０１４３】
以上のように、撮影処理を実行する前に、特殊色の印刷をするか否かが選択され、特殊色印刷をしない場合、撮影時間あるいは編集時間を延長するようにしたので、ユーザの好みに合った使用方法を提供することができる。上記説明においては、ステップＳ７７において、撮影時間あるいは編集時間を延長するか否かを選択するようにしたが、キープ画像記憶部８８に記憶させるキープ画像の枚数を所定の枚数より多く設定するか否かを選択するようにしてもよい。
【０１４４】
次に、図１１のフローチャートに基づいて、画像印刷装置１の画像印刷処理のさらに他の例を説明する。
【０１４５】
ステップＳ１０１において、ＣＰＵ８１は、プログラム記憶部８４に記憶されている、撮影の進行方法などのデモ画面を、撮影用モニタ１４に表示させるとともに、表示プロセッサ９９を制御し、編集入力用モニタ１８に表示させる。
【０１４６】
ステップＳ１０２において、ＣＰＵ８１は、硬貨処理部８８からの出力に基づいて、所定の代金（特殊色印刷用の印刷代金）が投入されたか否かを判定し、投入されたと判定するまでデモ画面を表示して待機する。一方、ＣＰＵ８１は、代金が投入されたと判定した場合、ステップＳ１０３に進み、被写体を撮影する。なお、ステップＳ１０３乃至ステップＳ１０５の処理は、上述した図７のステップＳ３１乃至ステップＳ３３の処理と同様の処理を行うため、繰り返しになるので、その説明を省略する。
【０１４７】
ステップＳ１０６において、ＣＰＵ８１は、印刷モード選択画面（図６）を編集入力用モニタ１８に表示させる。この場合、印刷モード選択画面は、編集入力用モニタ１８に表示されるので、ユーザによりタッチペン２０が用いられることで、「はい」あるいは「いいえ」が選択される。
【０１４８】
そこで、ユーザは、タッチペン２０を用いて、特殊色印刷機能を使用するか否かを選択する。この選択に対して、ステップＳ１０７において、ＣＰＵ８１は、タッチパネル１００からの出力に基づいて、特殊色印刷機能が使用されるか否かを判断する。
【０１４９】
ステップＳ１０７において、特殊色印刷機能が使用されると判断された場合、ステップＳ１０８において、ＣＰＵ８１は、画像編集処理を実行する。なお、ステップＳ１０８乃至ステップＳ１１２の処理は、上述した図７のステップＳ３４乃至ステップＳ３８の処理と同様の処理を行うため、繰り返しになるので、その説明を省略する。
【０１５０】
一方、ステップＳ１０７において、特殊色印刷機能が使用されないと判断された場合、ステップＳ１１３において、ＣＰＵ８１は、予め設定された編集時間よりも編集時間を延長するように設定する。
【０１５１】
ステップＳ１１４において、ＣＰＵ８１は、特殊色印刷用の機能をすべて使用不可能に設定する。これにより、これ以降の処理において、特殊色用の機能はすべて処理されない。すなわち、特殊色用の機能に関する表示は、画面に表示されない。なお、ステップＳ１１５乃至ステップＳ１１７の処理は、図７を参照して上述したステップＳ３４乃至ステップＳ３６の処理と同様の処理を行うため、繰り返しになるので、その説明を省略する。なお、図１１のステップＳ１１６の処理は、ユーザにより編集入力用モニタ１８の編集終了ボタンが押されたか否か、あるいは、内蔵するクロックで計時動作を行って、ステップＳ１１３において延長された編集時間が経過したか否かを判断する点を除いて、図７のステップＳ３５の処理と基本的に同様である。
【０１５２】
ステップＳ１１１において、画像データに特殊色の指定部分がないと判断された場合、ステップＳ１１２において、特殊色が印刷された後、あるいは、ステップＳ１１７において、標準色が印刷された後、ステップＳ１１８において、プリンタ制御部９０は、印刷済みのシール台紙をシール取り出し口２１より排出し、ユーザに提供する。
【０１５３】
以上のように、編集処理を実行する前に、特殊色の印刷をするか否かが選択され、特殊色印刷をしない場合、編集時間を延長するようにしたので、ユーザの好みに合った使用方法を提供することができる。
【０１５４】
次に、図１２のフローチャートに基づいて、画像印刷装置１の画像印刷処理のさらに他の例を説明する。
【０１５５】
ステップＳ１３１において、ＣＰＵ８１は、プログラム記憶部８４に記憶されている、撮影の進行方法などのデモ画面を、撮影用モニタ１４に表示させるとともに、表示プロセッサ９９を制御し、編集入力用モニタ１８に表示させる。
【０１５６】
ステップＳ１３２において、ＣＰＵ８１は、硬貨処理部８８からの出力に基づいて、所定の代金（特殊色印刷用の印刷代金）が投入されたか否かを判定し、投入されたと判定するまでデモ画面を表示して待機する。一方、ＣＰＵ８１は、代金が投入されたと判定した場合、ステップＳ１３３に進み、被写体を撮影する。なお、ステップＳ１３３乃至ステップＳ１３７の処理は、上述した図７のステップＳ３１乃至ステップＳ３５の処理と同様の処理を行うため、繰り返しになるので、その説明を省略する。
【０１５７】
ステップＳ１３８において、ＣＰＵ８１は、印刷モード選択画面（図６）を編集入力用モニタ１８に表示させる。この場合、印刷モード選択画面は、編集入力用モニタ１８に表示されるので、ユーザによりタッチペン２０が用いられることで、「はい」あるいは「いいえ」が選択される。
【０１５８】
そこで、ユーザは、タッチペン２０を用いて、特殊色印刷機能を使用するか否かを選択する。この選択に対して、ステップＳ１３９において、ＣＰＵ８１は、タッチパネル１００からの出力に基づいて、特殊色印刷機能が使用されるか否かを判断する。
【０１５９】
ステップＳ１３９において、特殊色印刷機能が使用されると判断された場合、ステップＳ１４０において、ＣＰＵ８１は、標準色を印刷する。なお、ステップＳ１４０乃至ステップＳ１４２の処理は、上述した図７のステップＳ３６乃至ステップＳ３８の処理と同様の処理を行うため、繰り返しになるので、その説明を省略する。
【０１６０】
一方、ステップＳ１３９において、特殊色印刷機能が使用されないと判断された場合、表示プロセッサ９９は、編集済みの画像データをバス９７を介して、画像処理部１０１に転送させる。これに対して、ステップＳ１４３において、ＣＰＵ８１は、編集された画像データに、特殊色で指定された部分があるか否かを判断し、編集された画像データに、特殊色で指定された部分があると判断した場合、ステップＳ１４４において、ＣＰＵ８１は、画像処理部１０１を制御し、特殊色で指定されている部分を特定の標準色に変換させる。特定の標準色は、例えば、金色の特殊色は黄色の標準色に、あるいは、銀色の特殊色は灰色の標準色に変換するものとして、この画像印刷装置１において、予め設定されている。その後、画像処理部１０１は、変換済みの画像データをプリンタ８９に転送する。
【０１６１】
ステップＳ１４３において、編集された画像データに、特殊色で指定された部分がないと判断された場合、ステップＳ１４４の処理は、スキップされる。すなわち、表示プロセッサ９９は、編集済みの画像データをバス９７を介して、プリンタ８９に転送させる。
【０１６２】
そして、ステップＳ１４５において、プリンタ制御部９０は、標準色を印刷する（図７のステップＳ３６と同様の処理）。
【０１６３】
ステップＳ１４１において特殊色で指定された部分がないと判断された場合、ステップＳ１４２において特殊色が印刷された後、あるいは、ステップＳ１４５において標準色が印刷された後、ステップＳ１４６において、プリンタ制御部９０は、印刷済みのシール台紙をシール取り出し口２１より排出し、ユーザに提供する。
【０１６４】
以上のように、印刷処理を実行する前に、特殊色の印刷をするか否かが選択され、特殊色印刷をしない場合、画像データの特殊色で編集された部分を特定の標準色に変換して印刷するようにしたので、印刷する直前に特殊色を使用しない場合にも画像データを印刷することができる。この方法は、例えば、ユーザが印刷直前に急に、時間短縮したくなった場合に有効である。
【０１６５】
次に、図１３のフローチャートに基づいて、画像印刷装置１の画像印刷処理のさらに他の例を説明する。
【０１６６】
ステップＳ１６１において、ＣＰＵ８１は、プログラム記憶部８４に記憶されている、撮影の進行方法などのデモ画面を、撮影用モニタ１４に表示させるとともに、表示プロセッサ９９を制御し、編集入力用モニタ１８に表示させる。
【０１６７】
ステップＳ１６２において、ＣＰＵ８１は、硬貨処理部８８からの出力に基づいて、所定の代金（特殊色印刷用の印刷代金）が投入されたか否かを判定し、投入されたと判定するまでデモ画面を表示して待機する。一方、ＣＰＵ８１は、代金が投入されたと判定した場合、ステップＳ１６３に進み、被写体を撮影する。なお、ステップＳ１６３乃至ステップＳ１６７の処理は、上述した図７のステップＳ３１乃至ステップＳ３５の処理と同様の処理を行うため、繰り返しになるので、その説明を省略する。
【０１６８】
次に、プリンタ制御部９０は、特殊色用の印刷を行う印刷部９４が、例えば、紙詰まりあるいはインク切れなどの異常を発生したか否かを検出する。ステップＳ１６８において、ＣＰＵ８１は、プリンタ制御部９０からの出力に基づいて、特殊色用の印刷部９４の異常が検出されたか否かを判断し、特殊色用の印刷部９４の異常が検出されていないと判断した場合、ステップＳ１６９において、ＣＰＵ８１は、プリンタ制御部９０を制御し、標準色を印刷させる。なお、ステップＳ１６９乃至ステップＳ１７１の処理は、上述した図７のステップＳ３６乃至ステップＳ３８の処理と同様の処理を行うため、繰り返しになるので、その説明を省略する。
【０１６９】
一方、ステップＳ１６８において、特殊色用の印刷部９４の異常が検出されたと判断された場合、ステップＳ１７２において、ＣＰＵ８１は、編集された画像データに、特殊色で指定された部分があるか否かを判断し、編集された画像データに、特殊色で指定された部分があると判断した場合、ステップＳ１７３において、ＣＰＵ８１は、図１４に示されるように、特殊色用プリンタ異常検出画面を表示プロセッサ９９を制御し、編集入力用モニタ１８に表示させる。
【０１７０】
図１４は、特殊色用の印刷部９４の異常を検出し、編集時に画像データの特殊色で指示された部分を特定の標準色に変換するか否かをユーザに選択させるための特殊色用プリンタ異常検出画面を示す。画面中央には、「プリンタの異常を検出しました。金箔落書きは黄色に、銀拍落書きはグレーに変えて印刷してもいいですか？」の指示が表示され、その下部には、「はい」、「いいえ」およびそれを選択するためのカーソルｃが表示されている。そこで、ユーザは、タッチペン２０を用いて、編集入力用モニタ１８の「はい」あるいは「いいえ」を押すことにより、カーソルｃを操作し、特殊色を特定の標準色に変換するか否かを選択する。この選択に対して、ステップＳ１７４において、ＣＰＵ８１は、タッチパネル１００からの出力に基づいて、特殊色を特定の標準色に変換するか否かを判断する。
【０１７１】
ステップＳ１７４において、特殊色を特定の標準色に変換すると判断された場合、ステップＳ１７５において、ＣＰＵ８１は、画像処理部１０１を制御し、特殊色で指定されている部分を特定の標準色に変換させる（図１２のステップＳ１４４と同様の処理）。
【０１７２】
ステップＳ１７２において、編集された画像データに、特殊色で指定された部分がないと判断された場合、ステップＳ１７３乃至ステップＳ１７５の処理はスキップされる。
【０１７３】
ステップＳ１７６において、プリンタ制御部９０は、標準色を印刷する（図７のステップＳ３６と同様の処理）。
【０１７４】
ステップＳ１７０において特殊色で指定された部分がないと判断された場合、ステップＳ１７１において特殊色が印刷された後、あるいは、ステップＳ１７６において標準色が印刷された後、ステップＳ１７７において、プリンタ制御部９０は、印刷済みのシール台紙をシール取り出し口２１より排出し、ユーザに提供する。
【０１７５】
一方、ステップＳ１７４において、特殊色を特定の標準色に変換しないと判断された場合、この画像印刷装置１における画像印刷処理は、終了される。
【０１７６】
以上のように、印刷処理を実行する前に、特殊色用の印刷部９４の異常が検出された場合、画像データの特殊色部分を特定の標準色に変換するようにしたので、特殊色用の印刷部９４に紙詰まりやインク切れなどのトラブルが起こった場合にも対処できるようになる。上記において、特殊色用の印刷部９４の異常を検出するようにしたが、標準色用の印刷部９１の異常を検出するようにし、印刷部９４をバックアップ用の標準色印刷に使用するようにしてもよい。
【０１７７】
上記において、画像印刷装置１の画像印刷処理中に、特殊色を印刷するか否かの設定処理を行ったが、この設定処理は、管理者などによりメンテナンスモードを使用し、予め設定しておくことができる。次に、図１５のフローチャートに基づいて、画像印刷装置１のメンテナンスモードでの設定処理を説明する。
【０１７８】
管理者は、この画像印刷装置１の各種設定を行うため、目立たない場所（ユーザには見えない場所など）に設置されているメンテナンスボタン（図示しない）を押す。この操作に対応して、ＣＰＵ８１は、ステップＳ２０１において、図１６に示されるように、プログラム記憶部８４に記憶されているメンテナンスモード画面を、撮影用モニタ１４に表示させる。
【０１７９】
図１６は、この画像印刷装置１の各種メンテナンスをするためのメンテナンスモード画面である。画面上部には、「メンテナンスモード」であることが明示され、上から順に、「設定モード」、「テストモード」、「インカム情報表示」、「データのクリア」、「バージョンアップ」および「メンテナンスモード終了」のメンテナンス項目が表示され、その左部には、それらのメンテナンス項目を選択するためのカーソルｄが表示されている。そこで、特殊色を印刷するか否かの設定を行うため、管理者は、操作パネル１５の「↑（上矢印）ボタン」、あるいは「↓（下矢印）ボタン」を用いて、カーソルｄを操作し、「設定モード」の横で「○ボタン」を押すことにより、設定モードを選択する。この操作に対して、ステップＳ２０２において、ＣＰＵ８１は、図１７に示されるように、プログラム記憶部８４に記憶されている設定モード画面を、撮影用モニタ１４に表示させる。
【０１８０】
図１７は、この画像印刷装置１の各種設定を予め設定するための設定モード画面である。画面上部には、「メンテナンス画面  設定モード」であることがわかりやすく表示され、上から順に、「時刻設定」、「料金設定」、「カメラ設定」、「タイムアウト設定」および「特殊色印刷設定」の設定項目が表示され、それらの設定項目を選択するためのカーソルｅが表示されている。また、右下部には、メンテナンス画面に戻るためのボタンｆが表示されている。そこで、特殊色を印刷するか否かの設定を行うため、管理者は、操作パネル１５の「↑（上矢印）ボタン」、あるいは「↓（下矢印）ボタン」を用いて、カーソルｅを操作し、「特殊色印刷設定」を囲むと、その右部に「要」、「不要」、およびそれを選択するためカーソルｇが表示される。管理者は、操作パネル１５の「→（右矢印）ボタン」、あるいは「←（左矢印）ボタン」を用いて、カーソルｇを操作し、「○ボタン」を押すことにより、「要」あるいは「不要」を選択する。この選択に対して、ステップＳ２０３において、ＣＰＵ８１は、特殊色の印刷機能を使用するか否かを判断し、特殊色の印刷機能を使用しないと判断した場合、ステップＳ２０４において、特殊色印刷機能を使用不可能にする。これにより、次に説明する図１８の画像印刷処理においては、特殊色印刷機能は全く使用されない。
【０１８１】
ステップＳ２０３において、特殊色の印刷機能を使用すると判断された場合、ステップＳ２０４の処理はスキップされる。管理者は、設定が終わると操作パネル１５を用いて、ボタンｆを選択する。その選択に基づいて、ステップＳ２０５において、ＣＰＵ８１は、メンテナンス画面が選択されたか否かを判断し、メンテナンス画面が選択されたと判断した場合、メンテナンス画面に戻る。ステップＳ２０５において、ＣＰＵ８１は、メンテナンス画面が選択されないと判断した場合、ステップＳ２０２に戻り、設定モード画面を表示し続ける。
【０１８２】
さらに、管理者は、設定が終わると操作パネル１５を用いて、カーソルｄを操作し、「メンテナンスモード終了」を選択する。その選択に基づいて、ステップＳ２０６において、ＣＰＵ８１は、メンテナンスモード終了が選択されたか否かを判断し、メンテナンスモード終了が選択されたと判断した場合、設定処理を終了する。ステップＳ２０６において、ＣＰＵ８１は、メンテナンスモード終了が選択されないと判断した場合、ステップＳ２０１に戻り、メンテナンスモード画面を表示し続ける。
【０１８３】
以上により、管理者によりメンテナンスモードにおいて、例えば、特殊色印刷機能を使用不可能にされた場合、この画像印刷装置１は、図１８の画像印刷処理を行うようになる。図１８のフローチャートを参照して、特殊色印刷処理機能が使用不可能である場合の画像印刷処理を説明する。
【０１８４】
なお、図１８のステップＳ２２１およびステップＳ２２２の処理は、上述した図９のステップＳ７１およびステップＳ７２の処理と同様の処理であり、図１８のステップＳ２２３乃至ステップＳ２２８の処理は、上述した図８のステップＳ５１乃至ステップＳ５６の処理と同様の処理であり、図１８のステップＳ２２９の処理は、上述した図５のステップＳ１２の処理と同様の処理であり、繰り返しになるので、その説明を省略する。
【０１８５】
以上のように、管理者は、メンテナンスモードにおいて、特殊色印刷機能を使用可能不可能を予め設定できる。これは、例えば、一時的に特殊色印刷機能のみを停止させたい場合などに、効果的である。
【０１８６】
上記において、画像印刷装置１の特殊色印刷を行う処理について説明したが、次に、画像印刷装置１の６色印刷を行う場合の画像印刷処理を、図１９のフローチャートを参照して、説明する。
【０１８７】
６色印刷は、標準色（シアン、マゼンタ、イエロー、ブラック）の４色に、シアンの明度を上げ、彩度を下げたライトシアンおよびマゼンタの明度を上げ、彩度を下げたライトマゼンタの２色を加えた６色により構成される。６色印刷は、４色印刷に較べて、鮮やかな色調の印刷を表現することができる。なお、６色印刷を行う場合、印刷部９４は、ライトシアンおよびライトマゼンタ（６色印刷を行うときの標準色以外の色）の印刷を行う。したがって、特殊色印刷機能は、使用不可とされる。
【０１８８】
ステップＳ２５１において、ＣＰＵ８１は、プログラム記憶部８４に記憶されている、撮影の進行方法などのデモ画面を、撮影用モニタ１４に表示させるとともに、表示プロセッサ９９を制御し、編集入力用モニタ１８に表示させる。
【０１８９】
撮影用モニタ１４にデモ画面が表示されているとき、ＣＣＤカメラ３２は、画像印刷装置１の撮影空間を監視しており、そこにユーザを検知した場合、ステップＳ２５２において、ＣＰＵ８１は、ＣＣＤカメラ３２からの出力に基づいて、ユーザが検知されたか否かを判定し、ユーザが検知されたと判定するまでデモ画面を表示して待機する。一方、ＣＰＵ８１は、ユーザが検知されたと判定した場合、ステップＳ２５３に進み、図２０に示されるように、印刷モード選択画面を撮影用モニタ１４に表示させる。
【０１９０】
図２０は、６色印刷をするか否かをユーザに選択させるための印刷モード選択画面である。画面中央には、「４色印刷？ｏｒ６色印刷？」の指示が表示され、その下部には、「４色」、「６色」およびそれを選択するためのカーソルｈが表示されている。そこで、ユーザは、操作パネル１５の「←（左矢印）ボタン」あるいは「→（右矢印）ボタン」を用いて、カーソルｈを操作し、「○ボタン」を押すことにより、６色印刷機能を使用するか否かを選択する。この選択に対して、ステップＳ２５４において、ＣＰＵ８１は、操作パネル１５からの出力に基づいて、６色印刷機能が使用されるか否かを判断する。
【０１９１】
ステップＳ２５４において、６色印刷機能が使用されると判断された場合、ステップＳ２５５において、ＣＰＵ８１は、６色印刷用の印刷代金を撮影用モニタ１４に表示させ、さらに、硬貨処理部８８に、その代金の情報を供給する。
【０１９２】
ステップＳ２５６において、ＣＰＵ８１は、硬貨処理部８８からの出力に基づいて、所定の代金（６色印刷用の印刷代金）が投入されたか否かを判定し、投入されたと判定するまで６色印刷用の印刷代金を表示して待機する。一方、ＣＰＵ８１は、代金が投入されたと判定した場合、ステップＳ７に進み、６色印刷処理を実行する。図２１に基づいて、この画像印刷装置の６色印刷処理を説明する。
【０１９３】
図２１のステップＳ２８１乃至ステップＳ２８５の処理は、図７のステップＳ３１乃至ステップＳ３５の処理と同様であり、繰り返しになるので、その説明を省略する。なお、ステップＳ２８４における画像編集処理は、この画像印刷処理において、特殊色印刷は使用されないため、特殊色用の編集機能がない点、および、特殊色用の編集機能に関する画面表示がない点を除いて、図７のステップＳ３４と基本的に同様である。
【０１９４】
表示プロセッサ９９は、タッチパネル１００から入力された編集操作を基に、編集した画像を作成させ、編集済みの画像データをバス９７を介して画像処理部１０１に転送させる。これに対して、ステップＳ２８６において、ＣＰＵ８１は、画像処理部１０１を制御し、標準色（４色）で表されている画像データをライトシアンおよびライトマゼンタを加えた６色の画像データに変換し、変換された画像データをバス９７を介してプリンタ８９に転送させる。
【０１９５】
ステップＳ２８７において、プリンタ８９のプリンタ制御部９０は、画像データの標準色を印刷する（図７のステップＳ３６と同様の処理）。
【０１９６】
ステップＳ２８８において、ＣＰＵ８１は、プリンタ制御部９０を制御し、画像データのライトシアンおよびライトマゼンタを印刷させる。すなわち、プリンタ制御部９０は、ステップＳ２８７において印刷されたシール台紙を、印刷部９４に供給し、そのシール台紙に、画像データ内のライトシアンおよびライトマゼンタ（６色のうちの標準色以外の色）で表されている画像データを印刷部９４の印字ヘッド９５およびリボン制御部７６を制御し、印刷させる。
【０１９７】
一方、図１９のステップＳ２５４において、６色印刷機能が使用されないと判断された場合、処理は、ステップＳ２５８に進む。
【０１９８】
図１９のステップＳ２５８、ステップＳ２５９およびステップＳ２６０の処理は、図５のステップＳ８、ステップＳ９およびステップＳ１１の処理と同様の処理であり、繰り返しになるので、その説明を省略する。
【０１９９】
ステップＳ２５７の６色印刷処理あるいはステップＳ２６０の標準色印刷処理の後、ステップＳ２６１において、プリンタ制御部９０は、印刷済みのシール台紙をシール取り出し口２１より排出し、ユーザに提供する。
【０２００】
以上のように、６色印刷する画像印刷装置１においても、撮影処理を実行する前に、６色の印刷をするか否かが選択され、６色印刷をしない場合、印刷代金を安くするようにしたので、ユーザの好みに合った使用方法を提供することができる。
【０２０１】
次に、図２２のフローチャートを参照して、この画像印刷装置１の６色印刷を行う場合の他の画像印刷処理を説明する。
【０２０２】
図２２のステップＳ３０１乃至ステップＳ３０４およびステップＳ３０５の処理は、図１９のステップＳ２５１乃至ステップＳ２５４およびステップＳ２５７の処理と同様の処理であり、繰り返しになるので、その説明を省略する。
【０２０３】
ステップＳ３０４において、６色印刷機能が使用されないと判断された場合、処理は、ステップＳ３０６に進む。
【０２０４】
また、図２２のステップＳ３０６乃至ステップＳ３０９およびステップＳ３１０の処理は、図９のステップＳ７６乃至ステップＳ７９およびステップＳ８１の処理と同様であり、繰り返しになるので、その説明を省略する。
【０２０５】
ステップＳ３０５の６色印刷処理あるいはステップＳ３１０の標準色印刷処理の後、ステップＳ３１１において、プリンタ制御部９０は、印刷済みのシール台紙をシール取り出し口２１より排出し、ユーザに提供する。
【０２０６】
以上のように、６色印刷する画像印刷装置１においても、撮影処理を実行する前に、特殊色の印刷をするか否かが選択され、６色印刷をしない場合、撮影時間あるいは編集時間を延長するようにしたので、ユーザの好みに合った使用方法を提供することができる。上記説明においては、ステップＳ３０７において、撮影時間あるいは編集時間を延長するか否かを選択するようにしたが、キープ画像記憶部８８に記憶させるキープ画像の枚数を所定の枚数より多く設定するか否かを選択するようにしてもよい。
【０２０７】
次に、図２３のフローチャートを参照して、この画像印刷装置１の６色印刷を行う場合のさらに他の画像印刷処理を説明する。
【０２０８】
図２３のステップＳ３３１乃至ステップＳ３３７の処理は、図１２のステップＳ１３１乃至ステップＳ１３７の処理と同様の処理であり、繰り返しになるので、その説明を省略する。なお、ステップＳ３３６における画像編集処理は、この画像印刷処理において、特殊色印刷は使用されないため、特殊色用の編集機能がない点、および、特殊色用の編集機能に関する画面表示がない点を除いて、図１２のステップＳ１３６と基本的に同様である。
【０２０９】
ステップＳ３３８において、ＣＰＵ８１は、印刷モード選択画面（図２０）を表示プロセッサ９９を制御し、編集入力用モニタ１８に表示させる。この場合、印刷モード選択画面は、編集入力用モニタ１８に表示されるので、ユーザによりタッチペン２０が用いられることで、「４色」あるいは「６色」が選択される。
【０２１０】
ユーザによりタッチペン２０を用いられ、「４色」あるいは「６色」が選択されるので、ステップＳ３３９において、ＣＰＵ８１は、タッチパネル１００からの出力に基づいて、６色印刷機能が使用されるか否かを判断し、６色印刷機能が使用されると判断した場合、ステップＳ３４０に進む。
【０２１１】
図２３のステップＳ３４０乃至ステップＳ３４２の処理は、図２１のステップＳ２８６乃至ステップＳ２８８と同様の処理であるため、繰り返しになるので、その説明を省略する。
【０２１２】
また、ステップＳ３３９において、６色印刷機能が使用されないと判断された場合、ステップＳ３４３において、ＣＰＵ８１は、標準色を印刷させる（図７のステップＳ３６と同様の処理）。
【０２１３】
ステップＳ３４２の標準色以外の色の印刷処理あるいはステップＳ３４３の標準色印刷処理の後、ステップＳ３４５において、プリンタ制御部９０は、印刷済みのシール台紙をシール取り出し口２１より排出し、ユーザに提供する。
【０２１４】
以上のように、６色印刷する画像印刷装置１においても、印刷処理を実行する前に、６色印刷をするか否かを選択するようにしたので、印刷する直前に画像データを標準色（４色）のみで印刷することを変更することができる。この方法は、ユーザが印刷直前に急に、時間短縮したくなった場合に有効である。
【０２１５】
上記では、６色印刷を行う場合を例に説明したが、６色に、イエローの明度を下げたダークイエローを加えて、７色印刷とすることもできる。なお、この場合、印刷部９４は、ライトシアン、ライトマゼンタおよびダークイエローを印刷する。
【０２１６】
次に、この画像印刷装置１において、背景色を特殊色にする場合の画像印刷処理を、図２４のフローチャートを参照して説明する。この場合、特殊色印刷を行うので、印刷部９４は、金色あるいは銀色などの特殊色の印刷を行う。
【０２１７】
ステップＳ４０１において、ＣＰＵ８１は、プログラム記憶部８４に記憶されている、撮影の進行方法などのデモ画面を、撮影用モニタ１４に表示させるとともに、表示プロセッサ９９を制御し、編集入力用モニタ１８に表示させる。
【０２１８】
ステップＳ４０２において、ＣＰＵ８１は、硬貨処理部８８からの出力に基づいて、所定の代金（特殊色印刷用の印刷代金）が投入されたか否かを判定し、投入されたと判定するまでデモ画面を表示して待機する。一方、ＣＰＵ８１は、代金が投入されたと判定した場合、ステップＳ４０３に進み、背景を選択する画面（図示せず）を撮影用モニタ１４に表示させる。
【０２１９】
この背景を選択する画面は、例えば、「背景を金色にするときは、後部の黄色のロールカーテンを下げてね」「背景が決まったら、決定ボタンを押してね」というような指示が表示されている。この画面は、ユーザに、背景となるロールカーテン７１を手動で開閉することを指示するものである。ユーザは、ロールカーテン７１を操作ひも７３を操作することにより、ロールカーテン７１を上げて（背景パネル５１の上部にロールカーテン７１を収納して）、背景パネル５１を背景に撮影したり、ロールカーテン７１を下げて（背景パネル５１を隠すようにロールカーテン７１を開いて）、ロールカーテン７１を背景に撮影したりすることができる。
【０２２０】
背景を選択したユーザは、操作パネル１５の決定するとき操作される「○ボタン」を押す。この操作に対応して、ステップＳ４０４において、ＣＰＵ８１は、被写体を撮影する。図２４のステップＳ４０４およびステップＳ４０５の処理は、図７のステップＳ３１およびステップＳ３２の処理と同様の処理であり、繰り返しになるので、その説明を省略する。
【０２２１】
ステップＳ４０６において、ＣＰＵ８１は、キープ画像記憶部８７の撮影された画像データの背景色が予め設定されている特殊色と対応しているか否かを判断する。ＣＰＵ８１は、ユーザにより白の背景パネル５１を背景にして撮影された場合、背景色が白であると認識する。また、ＣＰＵ８１は、ユーザにより、黄色のロールカーテン７１を背景にして撮影された場合、背景色が黄色であると認識する。この画像印刷装置１において、黄色の背景色は、金色の特殊色に対応させること、あるいは灰色の背景色は、銀色の特殊色に対応させることが予め設定されている。一方、設定において、白色の背景色（背景パネル５１）は、特殊色に対応されていない。したがって、その設定に基づいて、ＣＰＵ８１は、背景色は予め設定されている特殊色と対応しているかを判断する。
【０２２２】
ステップＳ４０６において、撮影された画像データの背景色が、予め設定されている特殊色と対応していると判断された場合、ステップＳ４０７において、ＣＰＵ８１は、キープ画像記憶部８７に画像データを転送させ、画像処理部１０１を制御し、画像データの背景色を対応する特殊色に変換（クロマキー処理）させる。いまの場合、ＣＰＵ８１は、黄色の背景色を金色の特殊色に変換（クロマキー処理）させる。その後、キープ画像記憶部８７に、画像データを記憶させる。なお、この変換処理（クロマキー処理）は、画像データの内部的な変換処理であり、表示には影響しない。
【０２２３】
ステップＳ４０６において、撮影された画像データの背景色が予め設定されている特殊色と対応していないと判断された場合、ステップＳ４０７の処理は、スキップされる。
【０２２４】
ステップＳ４０８において、ＣＰＵ８１は、編集処理の案内画面を撮影用モニタ１４に表示させる。すなわち、撮影用モニタ１４に編集空間への移動を促す案内画面が表示され、これを確認したユーザは、編集空間に移動し、キープ画像の編集処理を実行する。
【０２２５】
ステップＳ４０９において、ＣＰＵ８１は、画像編集処理を実行する。すなわち、表示プロセッサ９９を制御し、内蔵するメモリ９９Ａにキープ画像記憶部８７より供給されたキープ画像データを記憶させると共に、編集入力用モニタ１８に出力し、表示させる。タッチパネル１００はタッチペン２０を用いた、ユーザからの編集入力を受け付ける。
【０２２６】
図２５は、編集入力用モニタ１８に表示される編集画面の例を示す図である。編集画面は、基本的に、編集対象画像表示部２０１および入力ツール選択部２０２から構成される。編集対象画像表示部２０１には、撮影されたキープ画像が表示され入力ツール選択部２０２には、様々な入力ツール（書き込みツール）を選択するとき操作されるボタンが表示され、ユーザは、この中から、タッチペン２０を操作して入力ツールを選択する。
【０２２７】
入力ツールには、例えば、文字や図形を書き込むとき使用される「ペン」や、同一の文字や図形を入力するとき使用される「スタンプ」などがある。そして、「ペン入力モード」が選択されたとき、ペンの太さを選択するウインドウや、ペンの種類（例えば、クレヨンのように、線の一部をかすれたように表示する「クレヨンペン」）、ペンの色（例えば、標準色や金色のような特殊色）を選択するウインドウが表示される。また、「スタンプ入力モード」が選択されたときも同様に、スタンプを選択するウインドウが表示される。
【０２２８】
ステップＳ４１０において、ＣＰＵ８１は、ユーザによりタッチペン２０が用いられ、編集入力用モニタ１８に表示される編集終了ボタン（図示しない）が押されたか否か、あるいは、内蔵するクロックで計時動作を行って、予め設定されている所定の編集時間が経過したか否かを判断するまで、ステップＳ４０９において画像編集処理を繰り返す。ステップＳ４１０において、ＣＰＵ８１は、ユーザにより編集入力用モニタ１８に表示される編集終了ボタンが押されたと判断した場合、あるいは、内蔵するクロックで計時動作を行って、予め設定されている所定の編集時間が経過したと判断した場合、ステップＳ４１１に進む。
【０２２９】
表示プロセッサ９９は、タッチパネル１００から入力された編集操作を基に、編集した画像を作成させ、編集済みの画像データをバス９７を介して画像処理部１０１に転送させる。ステップＳ４１１において、ＣＰＵ８１は、画像処理部１０１を制御し、編集済みの画像データに印刷属性を付加する。
【０２３０】
図２６は、編集後の画像データの画素のデータ構造を示す。画素データは、画素の座標情報が（Ｘ座標，Ｙ座標）で示されたブロック２１１、その画素の色情報が、標準色で編集されている場合、（Ｒ，Ｇ，Ｂ）で表わされ、特殊色で編集されている場合、（ＧｏｌｄあるいはＳｉｌｖｅｒ）で示されたブロック２１２、および、その画素の印刷属性が示されたブロック２１３で構成される。印刷属性とは、その画素が印刷されるとき、標準色または特殊色のどちらで印刷されるかという情報であり、図２４のステップＳ４１１において、画像処理部１０１により付加されるものである。
【０２３１】
例えば、ステップＳ４０９の編集処理において、金色の特殊色で編集された色の画素データは、ブロック２１２において、色情報が（Ｇｏｌｄ）とされ、ブロック２１３において、印刷属性が（特殊色）とされる。また、ステップＳ４０７の変換処理で特殊色に変換された背景色の画素データは、ブロック２１２において、色情報が（Ｒ，Ｇ，Ｂ）で表わされ、ブロック２１３において、印刷属性が（特殊色）とされる。すわなち、この画素データは、図２７で後述する印刷処理において、色情報が（Ｒ，Ｇ，Ｂ）で表わされていても、印刷属性が（特殊色）とされているので特殊色で印刷される。
【０２３２】
画像処理部１０１は、印刷属性を付加した画像データをバス９７を介してプリンタ８９に転送させる。これに対して、ステップＳ４１２において、プリンタ８９のプリンタ制御部９０は、画像データの印刷処理を実行する。この画像データの印刷処理を図２７のフローチャートを参照して説明する。
【０２３３】
ステップＳ４３１において、ＣＰＵ８１は、プリンタ制御部９０を制御し、画像データに付加されている印刷属性情報を読み取らせる。この印刷属性情報に基づいて、ステップＳ４３２において、プリンタ制御部９０は、特殊色で印刷される画素があるか否かを判断し、特殊色で印刷される画素があると判断した場合、ステップＳ４３３において、プリンタ制御部９０は、シール台紙を取り出し、印刷部９１に供給し、そのシール台紙に、画像データ内画素のうち、印刷属性が標準色とされている画素を印刷部９１の印字ヘッド９２およびリボン制御部７３を制御し、印刷させる。
【０２３４】
さらに、ステップＳ４３４において、ＣＰＵ８１は、プリンタ制御部９０を制御し、画像データの特殊色を印刷させる。すなわち、プリンタ制御部９０は、ステップＳ４３３において印刷されたシール台紙を、印刷部９４に供給し、そのシール台紙に、画像データ内画素のうち、印刷属性が特殊色とされている画素を印刷部９４の印字ヘッド９５およびリボン制御部７６を制御し、印刷させる。
【０２３５】
ステップＳ４３２において、プリンタ制御部９０は、特殊色で印刷される画素がないと判断された場合、ステップＳ４３５において、ＣＰＵ８１は、プリンタ制御部９０を制御し、画像データを標準色のみで印刷させる（図７のステップＳ３６の処理と同様）。
【０２３６】
その後、図２４のステップＳ４１３において、プリンタ制御部９０は、印刷済みのシール台紙をシール取り出し口２１より排出し、ユーザに提供する。
【０２３７】
以上のように、ロールカーテン７１を用いて、背景色を選択し、その背景色を特殊色に変換するようにしたので、ユーザは、背景のような広い部分を特殊色にしたい場合、その広い範囲を塗りつぶす作業が軽減される。なお、上記において、ロールカーテン７１は、ユーザに手動で操作ひも７３を操作することにより、ロールカーテン７１を上げたり、下げたりする（開閉する）ようにしたが、ユーザに画面上で背景色を選択させ、その選択に基づいて、ロールカーテン７１を例えば、モータにより自動で上げ下げする（開閉する）ようにしてもよい。
【０２３８】
次に、図２８のフローチャートを参照して、この画像印刷装置１において、背景色を特殊色にする場合の画像印刷処理の他の例を説明する。
【０２３９】
図２８のステップＳ４５１乃至ステップＳ４５５の処理は、図２４のステップＳ４０１乃至ステップＳ４０５の処理と同様の処理であり、図２８のステップＳ４５６乃至ステップＳ４５８の処理は、図２４のステップＳ４０８乃至ステップＳ４１０の処理と同様の処理を行うため、その説明は、繰り返しになるので省略する。
【０２４０】
ステップＳ４５９において、ＣＰＵ８１は、画像データの変換処理を行う。この画像データの変換処理を、図２９のフローチャートを参照して説明する。
【０２４１】
ステップＳ４８１において、ＣＰＵ８１は、ユーザに背景色を特殊色に変換するか否かを選択させる背景色変換選択画面（図示しない）を表示プロセッサ９９を制御し、編集入力用モニタ１８に表示させる。ユーザは、タッチペン２０を用いて、変換するか否かを入力する。その操作に対応して、ステップＳ４８２において、ＣＰＵ８１は、タッチパネル１００からの出力に基づいて、撮影された画像の背景色を特殊色に変換するか否かを判断し、撮影された画像の背景色を特殊色に変換すると判断された場合、ステップＳ４８３において、ＣＰＵ８１は、背景色を予め対応する特殊色に変換させる（図２４のステップＳ４０７と同様の処理）。なお、対応する特殊色がない場合、その背景色は特殊色に変換されない。
【０２４２】
ステップＳ４８２において、撮影された画像の背景色を特殊色に変換しないと判断された場合、ステップＳ４８３の処理はスキップされる。
【０２４３】
ステップＳ４８４において、ＣＰＵ８１は、図３０に示されるように、特殊色変換指定画面を表示プロセッサ９９を制御し、編集入力用モニタ１８に表示させる。なお、図３０において、図２５における場合と対応する部分には対応する符号を付してあり、その説明は繰り返しになるので省略する。
【０２４４】
図３０は、図２８のステップＳ４５７の編集処理において、一旦標準色で編集された画像データを特殊色に変換したい部分を指定するための画面である。例えば、図２８のステップＳ４５７の編集処理において、ユーザにより入力ツール２０２の「ペン」を用いて標準色で編集された編集データ領域２２３を金色の特殊色に変換したい場合、ユーザは、タッチペン２０を用いて、金色にしたい編集データ領域２２３内の少なくとも１画素を指定する。
【０２４５】
この指定に基づいて、ステップＳ４８５において、ＣＰＵ８１は、画像処理部１０１を制御し、画像データの指定された画素と同じ色領域を特殊色に変換（クロマキー処理）させる。すなわち、いまの場合、画像処理部１０１は、編集データ領域２２３を金色に変換（クロマキー処理）する。なお、編集データ領域２２３以外にも「ペン」を用いて編集された同じ色の編集データ領域がある場合、その編集データ領域も金色に変換される。しかしながら、図２８のステップＳ４５７の編集処理において、ユーザにより入力ツール２０２の「スタンプ」を用いて編集データ領域２２３と同じ色で編集された編集データ領域があったとしても、その編集データ領域は、金色に変換されない（編集時にどの入力ツール２０２を使用したかが情報として画像データに付加されており、その入力ツール２０２の種類も考慮される）。また、この変換処理も、上述した図２４のステップＳ４０７の変換処理と同様に、画像データの内部的な変換処理（クロマキー処理）であり、表示には影響しない。
【０２４６】
ステップＳ４８６において、ＣＰＵ８１は、ステップＳ４８３およびステップＳ４８５において変換された色で画像データを表示プロセッサ９９を制御し、編集入力用モニタ１８に表示させる。
【０２４７】
ステップＳ４８７において、ＣＰＵ８１は、画像処理部１０１を制御し、編集済みの画像データに印刷属性を付加する（図２４のステップＳ４１１と同様の処理）。
【０２４８】
例えば、ステップＳ４８５の変換処理において、金色の特殊色で変換された編集データ領域２２３の画素データは、ブロック２１２において、色情報が（Ｒ，Ｇ，Ｂ）で表わされ、ブロック２１３において、印刷属性が（特殊色）とされることになる。
【０２４９】
その後、図２８のステップＳ４６０において、ＣＰＵ８１は、印刷処理を実行する。図２８のステップＳ４６０およびステップＳ４６１は、図２４のステップＳ４１２およびステップＳ４１３の処理と同様の処理であり、繰り返しになるので、その説明を省略する。
【０２５０】
以上のように、編集時に標準色のみで画像データを編集し、それを特殊色に変換するようにしたので、標準色および特殊色を別々に編集していた作業が標準色のみで作業し、後から変換することもできるので、ユーザの編集時の操作性が向上され、編集がやりやすくなった。
【０２５１】
また、以上において、印刷媒体はシールシートとして説明したが、シールシートに限られるものではなく、例えば、所定のサイズの紙や、ポスター用の紙などに印刷するようにしてもよい。また、撮影した画像データを、ユーザが自ら用意したフレキシブルディスクなどの記録媒体に記録させることができるようにしてもよい。
【０２５２】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０２５３】
【発明の効果】
以上の如く、画像印刷装置および画像印刷方法、並びにプログラムによれば、印刷された後、画像を上書き印刷するか否かを入力可能であるようにしたので、上書き印刷されない場合、プレミアムを付加することができ、これにより、ユーザの嗜好に合った印刷を提供することができる。
【０２５４】
本発明の第２の画像印刷装置および画像印刷方法、並びにプログラムによれば、使用される色の種類に基づいて編集された画像の画素に、それぞれ印刷属性を付加し、画素の印刷属性を読み取り、読み取られた画素の印刷属性に基づいて、画像の色領域の印刷を制御するようにしたので、画像を編集する場合の操作性を向上させることができる。
【図面の簡単な説明】
【図１】本発明を適用した画像印刷装置の外観の構成例を示す図である。
【図２】図１の画像印刷装置の配置例を示す図である。
【図３】図１の画像印刷装置の配置例を示す図である。
【図４】図１の画像印刷装置の構成例を示すブロック図である。
【図５】図１の画像印刷装置の画像印刷処理を説明するフローチャートである。
【図６】印刷モード選択画面を説明する図である。
【図７】図５のステップＳ７の特殊色印刷処理の例を説明するフローチャートである。
【図８】図５のステップＳ１１の標準色印刷処理の例を説明するフローチャートである。
【図９】図１の画像印刷装置の画像印刷処理の他の例を説明するフローチャートである。
【図１０】延長時間選択画面を説明する図である。
【図１１】図１の画像印刷装置の画像印刷処理のさらに他の例を説明するフローチャートである。
【図１２】図１の画像印刷装置の画像印刷処理のさらに他の例を説明するフローチャートである。
【図１３】図１の画像印刷装置の画像印刷処理のさらに他の例を説明するフローチャートである。
【図１４】プリンタ異常検出選択画面を説明する図である。
【図１５】図１の画像印刷装置のメンテナンスモードにおける設定処理を説明するフローチャートである。
【図１６】メンテナンスモード画面を説明する図である。
【図１７】設定モード画面を説明する図である。
【図１８】図１の画像印刷装置の画像印刷処理のさらに他の例を説明するフローチャートである。
【図１９】図１の画像印刷装置の画像印刷処理の６色印刷の例を説明するフローチャートである。
【図２０】印刷モード選択画面の他の例を説明する図である。
【図２１】図１９のステップＳ２５７の６色印刷処理の例を説明するフローチャートである。
【図２２】図１の画像印刷装置の画像印刷処理の６色印刷の他の例を説明するフローチャートである。
【図２３】図１の画像印刷装置の画像印刷処理の６色印刷のさらに他の例を説明するフローチャートである。
【図２４】図１の画像印刷装置の画像印刷処理のさらに他の例を説明するフローチャートである。
【図２５】画像編集画面の例を説明する図である。
【図２６】編集済みの画像データの画素のデータ構造を説明する図である。
【図２７】図２４のステップＳ４１２の印刷処理の例を説明するフローチャートである。
【図２８】図１の画像印刷装置の画像印刷処理のさらに他の例を説明するフローチャートである。
【図２９】図２８のステップＳ４５９の変換処理の例を説明するフローチャートである。
【図３０】背景色変換選択画面の例を説明する図である。
【符号の説明】
１  画像印刷装置
１２  硬貨投入口
１４  撮影用モニタ
１５  操作パネル
１８  編集入力用モニタ
２０  タッチペン
３２  ＣＣＤカメラ
５１  背景パネル
５２−Ｌ，５２−Ｒ  側面パネル
７１  ロールカーテン
７２  軸
７３  操作ひも
８１  ＣＰＵ
８７  キープ画像記憶部
８８  硬貨処理部
８９  プリンタ
９０  プリンタ制御部
９１  印刷部
９２  印字ヘッド
９３  リボン搬送部
９４  印刷部
９５  印字ヘッド
９６  リボン搬送部
９７  バス
９９  表示プロセッサ
９９Ａ  メモリ
１００  タッチパネル
１０１  画像処理部
【図１】
0003582078.tif 000002
【図２】
0003582078.tif 000003
【図３】
0003582078.tif 000004
【図４】
0003582078.tif 000005
【図５】
0003582078.tif 000006
【図６】
0003582078.tif 000007
【図７】
0003582078.tif 000008
【図８】
0003582078.tif 000009
【図９】
0003582078.tif 000010
【図１０】
0003582078.tif 000011
【図１１】
0003582078.tif 000012
【図１２】
0003582078.tif 000013
【図１３】
0003582078.tif 000014
【図１４】
0003582078.tif 000015
【図１５】
0003582078.tif 000016
【図１６】
0003582078.tif 000017
【図１７】
0003582078.tif 000018
【図１８】
0003582078.tif 000019
【図１９】
0003582078.tif 000020
【図２０】
0003582078.tif 000021
【図２１】
0003582078.tif 000022
【図２２】
0003582078.tif 000023
【図２３】
0003582078.tif 000024
【図２４】
0003582078.tif 000025
【図２５】
0003582078.tif 000026
【図２６】
0003582078.tif 000027
【図２７】
0003582078.tif 000028
【図２８】
0003582078.tif 000029
【図２９】
0003582078.tif 000030
【図３０】
0003582078.tif 000031